(57)【要約】【課題】壁内部に対する雨水等の浸入抑制を図ることができる建物外壁の止水構造を提供する。【解決手段】建物外壁は、複数の外壁面材２１により構成され、水平方向に隣り合う各外壁面材２１同士の間には縦目地が形成されている。隣り合う各外壁面材２１の上端部には、それら両者に跨り、かつ当該各外壁面材２１の裏面側から表面側に折り返した状態で目地止水シート３２が設けられている。化粧カバー１３は、建物の上階側の外壁面材２１と下階側の外壁面材２１との間の隙間部分を屋外側から閉塞するものであり、この化粧カバー１３により、目地止水シート３２の折返し部３２ａが押さえ付けられている。【選択図】      図５
2015117525.tif 000002
【特許請求の範囲】
【請求項１】
複数の壁面材により構成され、隣り合う壁面材同士の間に縦目地が形成された建物外壁に適用される止水構造であって、
隣り合う前記各壁面材の上端部には、それら両者に跨り、かつ当該各壁面材の裏面側から表面側に折り返した状態で目地止水シートが設けられていることを特徴とする建物外壁の止水構造。
【請求項２】
前記目地止水シートは、前記各壁面材の裏面側において前記縦目地に沿って前記各壁面材の下端部から上端部にかけて延びる長尺状をなしており、前記各壁面材の裏面側に貼り付けた状態において当該壁面材の上端側で余剰となる余剰部分を有しており、当該余剰部分が、前記各壁面材の表面側に折り返されて設けられていることを特徴とする請求項１に記載の建物外壁の止水構造。
【請求項３】
前記縦目地には長尺状の定形シール部材が取り付けられており、
前記定形シール部材に対して前記建物外壁の正面視で前後に重なる位置まで前記目地止水シートの前記余剰部分が折り返されていることを特徴とする請求項２に記載の建物外壁の止水構造。
【請求項４】
前記壁面材には、表面側に凹凸状の化粧模様が付されているとともに、その表面側の上端部分に前記化粧模様が付されていない平坦部が形成されており、
前記目地止水シートの折返し部分は前記平坦部に対して重ね合わされていることを特徴とする請求項１乃至３のいずれか１項に記載の建物外壁の止水構造。
【請求項５】
前記建物の外壁部に、上下に隣り合う前記壁面材の間の隙間部分を屋外側から閉塞する化粧カバーが設けられており、
前記目地止水シートにおいて前記壁面材の表面側に折り返された部分が、前記壁面材の表面側と前記化粧カバーとに挟まれていることを特徴とする請求項１乃至４のいずれか１項に記載の建物外壁の止水構造。
【請求項６】
前記上下に隣り合う壁面材の間には、上端部が上側の壁面材の裏面側に重ね合わされ、かつ下端部が下側の壁面材の表面側に重ね合わされる隙間止水シートが設けられており、
前記隙間止水シートの下端部は、前記壁面材の表面側において前記目地止水シートの上に重ね合わされ、その状態で前記目地止水シートの折返し部分と前記隙間止水シートの下端部とが、前記壁面材の表面側と前記化粧カバーとに挟まれていることを特徴とする請求項５に記載の建物外壁の止水構造。
【請求項７】
前記隙間止水シートの下端部において前記壁面材の表面側に重ね合わされるシート面に薄板状の弾性部材が貼り付けられており、
前記弾性部材は、前記壁面材の表面側において前記目地止水シートの上に重ね合わされ、圧縮された状態で、前記目地止水シートの折返し部分と共に前記壁面材の表面側と前記化粧カバーとに挟まれていることを特徴とする請求項６に記載の建物外壁の止水構造。
【請求項８】
前記目地止水シートの折返し部分の上に、壁幅方向に前記折返し部分よりも幅広となる固定用テープが貼着され、
前記隙間止水シートの下端部は、前記目地止水シートの折返し部分と前記固定用テープとを覆うようにして前記壁面材の表面側に重ね合わされていることを特徴とする請求項６又は７に記載の建物外壁の止水構造。
【発明の詳細な説明】
【技術分野】
【０００１】
本発明は、建物外壁の止水構造に関するものである。
【背景技術】
【０００２】
建物外壁の止水構造として、外壁部の縦目地に一次シール材や二次シール材を設け、それらシール材により壁内部への雨水等の浸入を抑制するものが実用化されている。例えば、特許文献１に記載の技術では、外壁目地部に、二次シール材として外壁材の裏面側に弾性防水シート材を設けるとともに、一次シール材として長尺状の定型ガスケットと不定型シーリング材とを設ける構成とし、さらに、定型ガスケットと不定型シーリング材との継ぎ目に排水用隙間を設けるようにしている。
【先行技術文献】
【特許文献】
【０００３】
【特許文献１】特開２００２−１３２１８号公報
【発明の概要】
【発明が解決しようとする課題】
【０００４】
しかしながら、既存の止水構造では、外壁部の表面側からの雨水の浸入抑制については検討がなされているものの、縦目地に沿って吹き上がる雨水等に対する検討が十分でないと考えられる。つまり、外壁部の縦目地においては強風等により雨水等の吹き上がりが生じ、その吹き上がった水が壁内部に浸入することが考えられる。こうした不都合は、縦目地内に定形シール部材が設けられている構成であっても起こり得るものであり、例えば定形シール部材に設けられた中空部やヒレ間の隙間を通じて雨水等の吹き上がりが生じることが懸念される。この点、改善の余地があると考えられる。
【０００５】
本発明は、上記事情に鑑みてなされたものであり、壁内部に対する雨水等の浸入抑制を図ることができる建物外壁の止水構造を提供することを主たる目的とするものである。
【課題を解決するための手段】
【０００６】
以下、上記課題を解決するのに有効な手段等につき、必要に応じて作用、効果等を示しつつ説明する。なお以下においては、理解の容易のため、発明の実施の形態において対応する構成の符号を括弧書き等で適宜示すが、この括弧書き等で示した具体的構成に限定されるものではない。
【０００７】
第１の発明は、
複数の壁面材（２１）により構成され、隣り合う壁面材同士の間に縦目地（３１）が形成された建物外壁に適用される止水構造であって、
隣り合う前記各壁面材の上端部には、それら両者に跨り、かつ当該各壁面材の裏面側から表面側に折り返した状態で目地止水シート（３２，５２）が設けられていることを特徴とする。
【０００８】
建物の外壁部における縦目地においては、縦目地内を雨水等が吹き上がり、その吹き上がった雨水等が壁内部に浸入することが懸念される。この点、隣り合う各壁面材の上端部に、それら両者に跨り、かつ当該各壁面材の裏面側から表面側に折り返した状態で目地止水シートを設けたため、仮に縦目地内を雨水等が吹き上がったとしても、その吹き上がった雨水等が壁面材の上端部から噴き出ることが抑制される。これにより、壁内部に対する雨水等の浸入抑制を図った好適な止水構造を実現できる。
【０００９】
第２の発明は、前記目地止水シートは、前記各壁面材の裏面側において前記縦目地に沿って前記各壁面材の下端部から上端部にかけて延びる長尺状をなしており、前記各壁面材の裏面側に貼り付けた状態において当該壁面材の上端側で余剰となる余剰部分（Ｘ）を有しており、当該余剰部分が、前記各壁面材の表面側に折り返されて設けられていることを特徴とする。
【００１０】
上記構成によれば、目地止水シートの上端側に余剰部分を形成しておき、その余剰部分を壁面材の裏面側から表面側に巻き込むことで、縦目地の上端部における雨水等の噴き出し防止を図ることができる。また、目地止水シートが各壁面材の下端部から上端部にかけて延びる長尺状をなしているため、縦目地の上下全域において目地止水シートによる壁背後への雨水等の浸入抑制を図ることができる。この場合、簡易な構成にて所望の効果を実現できる。
【００１１】
第３の発明は、前記縦目地には長尺状の定形シール部材（３３）が取り付けられており、前記定形シール部材に対して前記建物外壁の正面視で前後に重なる位置まで前記目地止水シートの前記余剰部分が折り返されていることを特徴とする。
【００１２】
上記構成では、目地止水シートの折返し部分が、定形シール部材に対して建物外壁の正面視で前後に重なるようになっており、定形シール部材の中空部やヒレ間の隙間を通じて雨水等が吹き上がってきたとしても、定形シール部材の上端部から壁表面側に雨水等が噴き出ることを抑制できる。
【００１３】
第４の発明は、前記壁面材には、表面側に凹凸状の化粧模様が付されているとともに、その表面側の上端部分に前記化粧模様が付されていない平坦部（２１ａ）が形成されており、前記目地止水シートの折返し部分は前記平坦部に対して重ね合わされていることを特徴とする。
【００１４】
壁面材において凹凸状の化粧模様部と平坦部とのうち平坦部に、目地止水シートの折返し部分を重ね合わせる構成としたため、壁面材と目地止水シートの折返し部分との間に意図しない隙間が生じにくくなり、所望の止水効果を得るのに好都合な構成を実現できる。
【００１５】
第５の発明は、前記建物の外壁部に、上下に隣り合う前記壁面材の間の隙間部分を屋外側から閉塞する化粧カバー（１３）が設けられており、前記目地止水シートにおいて前記壁面材の表面側に折り返された部分が、前記壁面材の表面側と前記化粧カバーとに挟まれていることを特徴とする。
【００１６】
上記構成では、外壁部の表面側に取り付けられる化粧カバーを利用して、目地止水シートの折返し部分を押さえ付けることができる。これにより、壁上端部における目地止水シートの浮き上がり等を抑制できる。つまり、縦目地においては吹き上がりによる圧力が生じ、その圧力が目地止水シートに作用するが、化粧カバーにより押さえ付けられていることで目地止水シートの浮き上がり等を抑制できる。またこの場合、目地止水シートの折返し部分を押さえ付ける押さえ部材を別途用意する必要がなく、構成の簡素化を図る上でも有利である。
【００１７】
第６の発明は、前記上下に隣り合う壁面材の間には、上端部が上側の壁面材の裏面側に重ね合わされ、かつ下端部が下側の壁面材の表面側に重ね合わされる隙間止水シート（４１）が設けられており、前記隙間止水シートの下端部は、前記壁面材の表面側において前記目地止水シートの上に重ね合わされ、その状態で前記目地止水シートの折返し部分と前記隙間止水シートの下端部とが、前記壁面材の表面側と前記化粧カバーとに挟まれていることを特徴とする。
【００１８】
上記構成では、上側の壁面材を伝って雨水等が流下してきても、隙間止水シートにより、その雨水等が下側壁部の内部に浸入することが抑制される。しがたって、下側壁部の縦目地における吹き上がりに起因する雨水等の浸入抑制に加え、上側の壁面材を伝って流下する雨水等の浸入抑制をも図ることができる。また、こうした優れた効果を、化粧カバーの押さえ込みによって確実に得ることができるようになっている。
【００１９】
第７の発明は、前記隙間止水シートの下端部において前記壁面材の表面側に重ね合わされるシート面に薄板状の弾性部材（４３）が貼り付けられており、前記弾性部材は、前記壁面材の表面側において前記目地止水シートの上に重ね合わされ、圧縮された状態で、前記目地止水シートの折返し部分と共に前記壁面材の表面側と前記化粧カバーとに挟まれていることを特徴とする。
【００２０】
上記構成では、弾性部材を介在させ、かつその弾性部材を圧縮状態として、目地止水シートの折返し部分を壁面材の表面側と化粧カバーとの間に挟み込んでいる。そのため、やはり目地止水シートによる雨水遮断や目地止水シートの浮き上がり防止を図る上で有利な構成を実現できる。
【００２１】
第８の発明は、前記目地止水シートの折返し部分の上に、壁幅方向に前記折返し部分よりも幅広となる固定用テープ（３５）が貼着され、前記隙間止水シートの下端部は、前記目地止水シートの折返し部分と前記固定用テープとを覆うようにして前記壁面材の表面側に重ね合わされていることを特徴とする。
【００２２】
上記構成では、目地止水シートの折返し部分にそれよりも壁幅方向に幅広の固定用テープが貼着され、さらにその上に、隙間止水シートの下端部が重ね合わされている。この場合、隙間止水シートは、建物外壁の壁幅方向に沿って延びる長尺シートであり、その長尺シートを用いることは、目地止水シートの折返し部分と固定用テープとを一体で覆う上で好都合である。また、やはりこれは目地止水シートによる雨水遮断や目地止水シートの浮き上がり防止を図る上で有利な構成であると言える。
【図面の簡単な説明】
【００２３】
【図１】建物の外観を示す正面図。
【図２】建物ユニットと外壁パネルとを示す分解斜視図。
【図３】縦目地における止水構造を示す分解斜視図。
【図４】縦目地の横断面の構成を示す横断面図。
【図５】外壁部において上下階の境界部分における詳細構造を示す縦断面図。
【図６】建物の外壁部を構築するための手順を説明するための説明図。
【図７】別の形態における止水構造を示す断面図。
【発明を実施するための形態】
【００２４】
以下、本発明を具体化した一実施形態を図面に基づいて説明する。本実施形態では、ユニット工法により構築されるユニット式建物においてその外壁部の止水構造について詳しく説明する。
【００２５】
図１は建物１０の外観を示す正面図である。建物１０は、二階建て建物であり、複数の建物ユニット１１からなる本体部１２を有している。建物１０の下階部と上階部との境界部分には、下階側の建物ユニット１１に設けられた外壁材と上階側の建物ユニット１１に設けられた外壁材との間の隙間部分を閉塞する化粧カバー１３が取り付けられている。図中のＳＬは上下の建物ユニット１１の境界となるスタッキングラインである。
【００２６】
なお、建物ユニット１１の構成については周知であるため、ここでは詳細な説明は割愛するが、簡単に説明すると、建物ユニット１１は、四隅の柱と、それら各柱の上端部を連結する天井大梁と、各柱の下端部を連結する床大梁とを有し、全体として直方体状に形成されている。そして、隣接する建物ユニット１１の柱同士を連結部材（ドッキングプレート等）により連結し、かつ建物ユニット１１を上下方向に適宜積層配置することで本体部１２が構築されている。
【００２７】
次に、建物ユニット１１に取り付けられる外壁パネルの構成について図２を用いて説明する。図２において、建物ユニット１１は、柱１５と天井大梁１６と床大梁１７とを有しており、天井大梁１６と床大梁１７とに対して外壁パネル２０が組み付けられるようになっている。なお、図１では、外壁パネル２０について外壁面材２１と下地フレーム２２とを分解して示すが、これらは一体化された状態で建物ユニット１１に対して取り付けられるようになっている。
【００２８】
以下詳しくは、外壁パネル２０は、外壁面を形成するための矩形平板状の外壁面材２１と、その裏面側に取り付けられる下地フレーム２２とにより構成されている。外壁面材２１は、例えば窯業系サイディングボードよりなり、その表面側には、凹凸状をなす様々な化粧模様（格子模様等）が付されている。ただし、外壁面材２１の上端部には、凹凸のない平坦部２１ａが壁上縁に沿って設けられている。
【００２９】
下地フレーム２２は、断面コ字状の軽量溝形鋼により構成され、外壁面材２１と略同じ縦横寸法で四辺形に組まれた縦フレーム部２３及び横フレーム部２４と、上下方向の中間位置に設けられる中間フレーム部２５とを有している。下地フレーム２２の各フレーム部２３〜２５のうち、左右一対の縦フレーム部２３は溝形綱の溝部を内側に向けて配設され、上下の横フレーム部２４は溝形鋼の溝部を外側に向けて（すなわち、下側横フレームは溝部を下方に向けて、上側横フレームは溝部を上方に向けて）配設されている。
【００３０】
外壁面材２１と下地フレーム２２とは、それぞれ強度や作業性の観点から所定の幅寸法にて形成されており、複数の外壁パネル２０が横並びで連結される構成となっている。この場合、下地フレーム２２同士がボルト２６等の締結具により互いに連結固定されている。また、水平方向に隣り合う外壁面材２１の間には縦目地３１（図４参照）が形成されるようになっており、外壁面材２１と下地フレーム２２との間に挟まされた状態で、縦目地３１の止水を行うための目地止水シート３２が取り付けられている。目地止水シート３２は、少なくとも外壁面材２１の上下方向の寸法よりも長さ寸法の大きい長尺状の弾性防水シートよりなり、縦目地３１に沿って（言い換えれば２つの下地フレーム２２の接合境界部に沿って）取り付けられている。
【００３１】
そして、複数一組で一体化された外壁パネル２０が、建物ユニット１１に対して組み付けられるようになっている。この組み付けはボルト２８等の締結具を用いて行われ、これにより、天井大梁１６及び床大梁１７に対する外壁パネル２０の固定が行われる。
【００３２】
本実施形態では、隣り合う外壁面材２１の間に形成される縦目地３１についてその止水性能を高めるための構成を特徴にしており、その構成を以下に説明する。図３は縦目地３１における止水構造を示す分解斜視図であり、図４は縦目地３１の横断面の構成を示す横断面図である。また、図５は外壁部において上下階の境界部分における詳細構造を示す縦断面図である。
【００３３】
図３及び図４に示すように、壁下地は、左右に隣り合う下地フレーム２２が一体に連結されて構成され、その外側（屋外側）には目地止水シート３２を介在させた上で外壁面材２１が取り付けられている。また、縦目地３１には、定形シール部材３３が挿入配置されている。定形シール部材３３は、ゴム材等よりなる長尺状の止水ガスケットであり、圧縮された状態で縦目地３１内に押し入れられている。定形シール部材３３の長さは外壁面材２１の上下寸法と略同じであり、定形シール部材３３は縦目地３１の上下全域に亘って設けられている。この場合、目地止水シート３２と定形シール部材３３とは壁厚み方向に並んで設けられており、定形シール部材３３が一次止水材、目地止水シート３２が二次止水材である。
【００３４】
目地止水シート３２は、各外壁面材２１の裏面側においてその下端部から上端部にかけて貼り付けられ、その貼り付けられた状態において外壁面材２１の上端側で余剰となる余剰部分Ｘを有している。そして、その余剰部分Ｘが、各外壁面材２１の表面側に折り返されている。その折り返された状態が図５（ａ）に示されている。この場合、目地止水シート３２の折返し部３２ａは、外壁上端部である平坦部２１ａの上に折り返されている。またこの場合、目地止水シート３２は、定形シール部材３３に対して外壁部の正面視で前後に重なるようにして折り返されている（図６（ａ）、（ｂ）参照）。目地止水シート３２の折返し部３２ａは、その上に固定用テープ３５が貼着されることで固定されている。なお、図６（ｃ）に示すとおり、固定用テープ３５は、壁幅方向において折返し部３２ａよりも幅広となるようにして貼着されている。
【００３５】
次に、上下階の境界部分における詳細構造を、図５を用いて説明する。図５（ａ）は上下階境界部における各部材の分解断面図であり、（ｂ）は組み付け状態を示す断面図である。
【００３６】
図５（ａ）に示すように、下階側の外壁面材２１と上階側の外壁面材２１との間には隙間部分が形成されており、その隙間部分に、隙間止水シート４１と化粧カバー１３とが設けられている。外壁部に対する正面視で言えば、隙間止水シート４１と化粧カバー１３とは、いずれも水平方向に延びる長尺材よりなり、それら各々の上下寸法は上下壁間の隙間部分よりも大きいものとなっている。隙間止水シート４１は防水性を有するシート（例えばブチルシート）よりなる。隙間止水シート４１は、その上端部が上側の外壁面材２１の裏面側に重ね合わされ、かつ下端部が下側の外壁面材２１の表面側に重ね合わされて設けられ、この隙間止水シート４１により、上下の外壁面材２１の間を通じて雨水等が壁内（外壁面材２１の裏面側）に浸入することが抑制されている。
【００３７】
隙間止水シート４１の取り付けについて詳しくは、隙間止水シート４１には、その上端部において上側の外壁面材２１の裏面側に重ね合わされる部位（上側壁当たり部）、及び下端部において下側の外壁面材２１の表面側に重ね合わされる部位（下側壁当たり部）に、スポンジゴム等の弾性材料よりなる薄板状のゴムシート４２，４３が取り付けられている。そして、隙間止水シート４１の上端側のゴムシート４２が外壁面材２１と下地フレーム２２との間に挟まれて固定されている。
【００３８】
また、図５（ｂ）に示すように、隙間止水シート４１の下端側のゴムシート４３は、目地止水シート３２の折返し部３２ａと固定用テープ３５とを覆った状態で外壁面材２１の表面部に重ね合わされている。そして、上下階の各外壁面材２１には、隙間止水シート４１を覆い隠すようにして化粧カバー１３が取り付けられている。この場合、外壁面材２１の表面部（平坦部２１ａ）においては、目地止水シート３２の折返し部３２ａと、固定用テープ３５と、隙間止水シート４１の下端側のゴムシート４３とが相互に重ね合わされた状態で化粧カバー１３により挟み込まれている。特にゴムシート４３は、圧縮された状態で保持されている。
【００３９】
上下階の境界部において上記のとおりの止水構造が採用されることで、上階側の外壁面材２１を伝って雨水等が流下してきても、隙間止水シート４１により、その雨水等が下階側で壁内に浸入することが抑制される。また、下階外壁部において縦目地３１内を雨水等が吹き上がってきても、目地止水シート３２により、その吹き上がった雨水等が外壁面材２１の上端部から噴き出ることが抑制され、やはり雨水等が下階側で壁内に浸入することが抑制される。
【００４０】
図６は、建物１０の外壁部を構築するための手順を説明するための説明図であり、外壁部が構築される際には（ａ）→（ｂ）→（ｃ）→（ｄ）→（ｅ）の順に作業が行われる。なお、図６（ａ）〜（ｅ）のうち（ａ）、（ｂ）が製造工場での作業であり、（ｃ）〜（ｅ）が建物施工現場での作業である。
【００４１】
図６（ａ）の状態では、左右２枚の外壁面材２１が下地フレーム２２に対して組み付けられており、かかる状態では外壁面材２１の上端部から目地止水シート３２の余剰部分Ｘが延び出ている。そして、図６（ｂ）に示すように、目地止水シート３２の余剰部分Ｘを外壁面材２１の表面側に巻き込むことで、目地止水シート３２を、隣り合う各外壁面材２１の上端部に跨り、かつ各外壁面材２１の裏面部から表面部に折り返した状態としている。そして、目地止水シート３２の折返し部３２ａの上に固定用テープ３５を貼着する。
【００４２】
その後、外壁パネル２０を建物ユニット１１に組み付け、上下各階の建物ユニット１１を仕上げる。そして、その状態で建物ユニット１１をトラック等の運送手段により施工現場に運送する。
【００４３】
施工現場では、図６（ｃ）に示すように、下階ユニットの上に上階ユニットを載置することで上下各階の外壁パネル２０を上下に配置する。この場合、上階側の外壁パネル２０には隙間止水シート４１が先付けされており、下端側の仮止めが外されて垂れ下がり状態とされる。これにより、図６（ｄ）に示すように、隙間止水シート４１の下端部が、目地止水シート３２の折返し部３２ａと固定用テープ３５とを覆うようにして外壁面材２１の表面部に重ね合わされるようになる。
【００４４】
そして、図６（ｅ）に示すように、化粧カバー１３を取り付ける。この状態では、図５（ｂ）で説明したとおり外壁面材２１の表面部（平坦部２１ａ）において、目地止水シート３２の折返し部３２ａと、固定用テープ３５と、隙間止水シート４１の下端側のゴムシート４３とが相互に重ね合わされた状態で化粧カバー１３により挟み込まれる。
【００４５】
以上詳述した本実施形態によれば、以下の優れた効果が得られる。
【００４６】
隣り合う外壁面材２１の上端部に、それら両者に跨り、かつ各外壁面材２１の裏面部から表面部に折り返した状態で目地止水シート３２を設けたため、仮に縦目地３１内を雨水等が吹き上がったとしても、その吹き上がった雨水等が外壁面材２１の上端部から噴き出ることが抑制される。これにより、壁内部に対する雨水等の浸入抑制を図った好適な止水構造を実現できる。
【００４７】
目地止水シート３２の上端側に余剰部分Ｘを設けておき、その余剰部分Ｘを外壁面材２１の裏面側から表面側に巻き込んで折返し部３２ａを形成することで、縦目地３１の上端部における雨水等の噴き出し防止を図ることができる。また、目地止水シート３２が各外壁面材２１の下端部から上端部にかけて延びる長尺状をなしているため、縦目地３１の上下全域において目地止水シート３２による壁背後への雨水等の浸入抑制を図ることができる。この場合、簡易な構成にて所望の効果を実現できる。
【００４８】
目地止水シート３２の折返し部３２ａが、定形シール部材３３に対して正面視で前後に重なるようにした。これにより、定形シール部材３３の中空部やヒレ間の隙間を通じて雨水等が吹き上がってきたとしても、定形シール部材３３の上端部から壁表面側に雨水等が噴き出ることを抑制できる。
【００４９】
外壁面材２１の平坦部２１ａに目地止水シート３２の折返し部３２ａを重ね合わせる構成としたため、外壁面材２１と目地止水シート３２の折返し部３２ａとの間に意図しない隙間が生じにくくなり、所望の止水効果を得るのに好都合な構成を実現できる。
【００５０】
外壁部の表面側に取り付けられる化粧カバー１３を利用して、目地止水シート３２の折返し部３２ａを押さえ付けるようにした。これにより、壁上端部における目地止水シート３２の浮き上がり等を抑制できる。つまり、縦目地３１においては吹き上がりによる圧力が生じ、その圧力が目地止水シート３２に作用するが、化粧カバー１３により押さえ付けられていることで目地止水シート３２の浮き上がり等を抑制できる。またこの場合、目地止水シート３２の折返し部３２ａを押さえ付ける押さえ部材を別途用意する必要がなく、構成の簡素化を図る上でも有利である。
【００５１】
上下各階の外壁面材２１の間の隙間部分に隙間止水シート４１を設ける構成とし、さらに目地止水シート３２の折返し部３２ａと隙間止水シート４１の下端部とを、外壁面材２１の表面部と化粧カバー１３との間に挟み込む構成とした。この場合、上階側の外壁面材２１を伝って雨水等が流下してきても、隙間止水シート４１により、その雨水等が下階側壁部の内部に浸入することが抑制される。しがたって、上述した下階側壁部の縦目地３１における吹き上がりに起因する雨水等の浸入抑制に加え、上階側の外壁面材２１を伝って流下する雨水等の浸入抑制をも図ることができる。また、こうした優れた効果を、化粧カバー１３の押さえ込みによって確実に得ることができるようになっている。
【００５２】
隙間止水シート４１の壁重なり部（壁当たり部）にゴムシート４３を設ける構成において、そのゴムシート４３を介在させ、かつそのゴムシート４３を圧縮状態として、目地止水シート３２の折返し部３２ａを外壁面材２１の表面部と化粧カバー１３との間に挟み込むようにした。そのため、やはり目地止水シート３２による雨水遮断や目地止水シート３２の浮き上がり防止を図る上で有利な構成を実現できる。
【００５３】
目地止水シート３２の折返し部３２ａにそれよりも壁幅方向に幅広の固定用テープ３５を貼着し、さらにその上に、隙間止水シート４１の下端部を重ね合わせる構成とした。この場合、隙間止水シート４１は、建物外壁の壁幅方向に沿って延びる長尺シートであり、その長尺シートを用いることは、目地止水シート３２の折返し部３２ａと固定用テープ３５とを一体で覆う上で好都合である。また、やはりこれは目地止水シート３２による雨水遮断や目地止水シート３２の浮き上がり防止を図る上で有利な構成であると言える。
【００５４】
［他の実施形態］
本発明は上記実施形態の記載内容に限定されず、例えば次のように実施されてもよい。
【００５５】
・上記実施形態では、目地止水シート３２の折返し部３２ａを化粧カバー１３にて押さえ付ける構成としたが、これを変更してもよい。例えば、軒部を有する建物において、軒天板よりも上方に外壁面材２１の上端部が位置している場合には、外壁面材２１の上端部を化粧カバー１３で覆い隠す必要が無く、化粧カバー１３が用いられない。かかる場合には、目地止水シート３２（特に折返し部３２ａ）を押さえ付ける押さえ付け部材が各外壁面材２１の上端部に取り付けられるとよい。
【００５６】
・上記実施形態では、目地止水シート３２を、各外壁面材２１の下端部から上端部にかけて延びるものとし、その目地止水シート３２を各外壁面材２１の表面側に折り返す構成としたが、これを変更してもよい。例えば図７に示すように、各外壁面材２１の裏面側に取り付けられる裏面止水シート５１と、各外壁面材２１の上端部に取り付けられる上端止水シート５２とを設ける構成とする。より具体的には、裏面止水シート５１は、各外壁面材２１の裏面と下地フレーム２２とに挟まれて設けられ、上端止水シート５２は、各外壁面材２１と裏面止水シート５１と横フレーム部２４とを挟み込んだ状態で、各外壁面材２１の上端部に設けられている。本構成においても、上記同様、仮に縦目地３１内を雨水等が吹き上がったとしても、その吹き上がった雨水等が外壁面材２１の上端部から噴き出ることを抑制できる。
【００５７】
・上記実施形態では、ユニット式建物について説明したが、これに限定されず、他の工法の建物にも適用できる。例えば、鉄骨軸組工法により構築される建物や、在来木造工法により構築された建物にも適用できる。
【符号の説明】
【００５８】
１０…建物、１３…化粧カバー、２０…外壁パネル、２１…外壁面材、２２…下地フレーム、３１…縦目地、３２…目地止水シート、３３…定形シール部材、４１…隙間止水シート、４３…ゴムシート（弾性部材）、５１…裏面止水シート、５２…上端止水シート（目地止水シート）、Ｘ…余剰部分。
【図１】
2015117525.tif 000003
【図２】
2015117525.tif 000004
【図３】
2015117525.tif 000005
【図４】
2015117525.tif 000006
【図５】
2015117525.tif 000007
【図６】
2015117525.tif 000008
【図７】
2015117525.tif 000009